(57)【特許請求の範囲】
【請求項１】
マスカラ液が貯蔵される容器本体と、
前記容器本体の開口部側に密閉可能に結合する把手と、
前記把手に取り付けられたブラシ支持体と、
前記把手の一側に延設されて前記容器本体と前記把手の結合の際に前記容器本体内に挿入され、前記ブラシ支持体の端部に、前記ブラシ支持体とは独立に回転可能に設けられてマスカラ液の睫毛への塗布の際に回転しながらボリューム（Ｖｏｌｕｍｅ）、カール（Ｃｕｒｌｉｎｇ）、ロングラッシュ（Ｌｏｎｇ ｌａｓｈ）およびクリーン（Ｃｌｅａｎ）作業のいずれか一つを選択的に行うブラシと、前記ブラシ周囲に近接した位置で前記ブラシ周囲を取り囲むように設けられた両側に拡開形成された支え骨と、前記支え骨の端部に貫設された回転案内ホールを有し、前記ブラシ支持体に嵌合する嵌合部と、を有する塗布部材と、
を含み、
前記ブラシは、前記回転案内ホールに嵌め込まれて前記嵌合部及び前記ブラシ支持体に対して回転可能に取り付けられ、
前記支え骨は、前記嵌合部と一体に形成され、前記嵌合部が前記ブラシ支持体に嵌合することで、前記ブラシ支持体に固定されている、マスカラ。
【請求項２】
前記支え骨は、前記ブラシ支持体の軸心方向に対して、左側及び／又は右側に設けられた半楕円形に形成されていることを特徴とする請求項１に記載のマスカラ。
【請求項３】
前記ブラシは、睫毛に接触する接触ブラシを固定する固定棒の両端部が前記回転案内ホールに回転可能に嵌合され、マスカラ液の塗布の際に睫毛に接触して回転することを特徴とする、請求項１又は２に記載のマスカラ。
【発明の詳細な説明】
【技術分野】
【０００１】
本発明は、マスカラに関し、さらに詳しくは、容器本体と把手の結合の際に容器本体内に挿入されるブラシ支持体の端部に回転可能に設置されたブラシを備えることにより、睫毛にマスカラ液を塗布するときにブラシの回転によってボリューム（Ｖｏｌｕｍｅ）、カール（Ｃｕｒｌｉｎｇ）、ロングラッシュ（Ｌｏｎｇ ｌａｓｈ）およびクリーン（Ｃｌｅａｎ）性を向上させることができるようにしたマスカラに関する。
【背景技術】
【０００２】
一般に、マスカラは、女性が使用する化粧品の一種であって、目の美しさを目立たせるために睫毛に様々な色のマスカラ液を塗るためのものである。
【０００３】
この種のマスカラは、マスカラ液が貯蔵される容器本体と、前記容器本体の開口部に密閉可能に結合する把手と、前記把手の下部に備えられる棒型のブラシ支持体と、前記ブラシ支持体に固定されたブラシとを含んでなる。
【０００４】
このようなマスカラは、使用者が前記容器本体と把手を結合または分離しながら前記ブラシに付いたマスカラ液を睫毛に塗布し、ボリューム（Ｖｏｌｕｍｅ：睫毛を豊かに見えるようにすること）、カール（Ｃｕｒｌｉｎｇ：眉毛の先端を上向きに巻き上げれるようにすること）、ロングラッシュ（Ｌｏｎｇ ｌａｓｈ：眉毛の長さを長く見えるようにすること）およびクリーン（Ｃｌｅａｎ）作業を行う。
【０００５】
ところが、従来のマスカラは、ブラシがブラシ支持体に固定されているので、使用者が所望のボリューム（Ｖｏｌｕｍｅ）、カール（Ｃｕｒｌｉｎｇ）、ロングラッシュ（Ｌｏｎｇ ｌａｓｈ）およびクリーン（Ｃｌｅａｎ：睫毛がだまにならないようにすること）作業を円滑に行うことができないという問題点があった。
【発明の概要】
【発明が解決しようとする課題】
【０００６】
本発明は、上述した問題点を解決するために案出されたものであり、その目的は、容器本体と把手の結合の際に容器本体内に挿入されるブラシ支持体の端部に回転可能に設けられるブラシを備えることにより、睫毛にマスカラ液を塗布するときにブラシの回転によってボリューム（Ｖｏｌｕｍｅ）、カール（Ｃｕｒｌｉｎｇ）、ロングラッシュ（Ｌｏｎｇ ｌａｓｈ）およびクリーン（Ｃｌｅａｎ）性を向上させることができるようにしたマスカラを提供することにある。
【課題を解決するための手段】
【０００７】
上記目的は、マスカラ液が貯蔵される容器本体と、前記容器本体の開口部側に密閉可能に結合する把手と、前記把手の一側に延設されて前記容器本体と前記把手の結合の際に前記容器本体内に挿入され、ブラシ支持体の端部に回転可能に設けられてマスカラ液の睫毛への塗布の際に回転しながらボリューム（Ｖｏｌｕｍｅ）、カール（Ｃｕｒｌｉｎｇ）、ロングラッシュ（Ｌｏｎｇ ｌａｓｈ）およびクリーン（Ｃｌｅａｎ）作業のいずれか一つを選択的に行うブラシを有する塗布部材とを含む、マスカラによって達成される。
【０００８】
前記塗布部材は、前記ブラシ支持体の端部に嵌合されるが、両側に拡開形成された支え骨及び両側の端部に貫設された回転案内ホールからなる支持体と、前記回転案内ホールに回転可能に設けられるブラシとを含んでなることを特徴とする。
【０００９】
前記塗布部材は、前記ブラシ支持体の端部に嵌合されるが、左／右側のいずれか一方に選択的に設けられた半楕円形の支え骨及び両端部に貫設された回転案内ホールからなる支持体と、前記回転案内ホールに回転可能に設けられるブラシとを含むことを特徴とする。
【００１０】
前記ブラシは、睫毛に接触する接触ブラシを固定する固定棒の両端部が前記回転案内ホールに回転可能に嵌合され、マスカラ液の塗布の際に睫毛に接触して回転することを特徴とする。
【発明の効果】
【００１１】
したがって、本発明に係るマスカラによれば、容器本体と把手の結合の際に容器本体内に挿入されるブラシ支持体の端部に回転可能に設けられるブラシを備えることにより、睫毛にマスカラ液を塗布するときにブラシの回転によってボリューム（Ｖｏｌｕｍｅ）、カール（Ｃｕｒｌｉｎｇ）、ロングラッシュ（Ｌｏｎｇ ｌａｓｈ）およびクリーン（Ｃｌｅａｎ）性を向上させるという利点がある。
【図面の簡単な説明】
【００１２】
【図１】本発明の第１実施形態に係るマスカラを示す分解斜視図である。
【図２】本発明の第１実施形態に係る塗布部材が容器本体内に備えられる状態を示す使用状態図である。
【図３】本発明の第１実施形態に係る塗布部材を拡大して示す断面図である。
【図４】本発明の第２実施形態に係るマスカラを示す分解斜視図である。
【図５】本発明の第２実施形態に係る塗布部材が容器本体内に備えられる状態を示す使用状態図である。
【図６】本発明の第２実施形態に係る塗布部材を拡大して示す断面図である。
【発明を実施するための形態】
【００１３】
本明細書および請求の範囲に使用された用語または単語は、通常的または辞典的な意味で限定して解釈されてはならず、発明者は自分の発明を最善の方法で説明するために用語の概念を適切に定義することができるという原則に立脚して、本発明の技術的思想に符合する意味と概念で解釈されるべきである。
【００１４】
以下、添付図面を参照して本発明に係るマスカラ１００を説明する。
【００１５】
本発明に係るマスカラ１００は、図１に示すように、容器本体１１０と、容器本体１１０に結合する把手１２０と、把手１２０のブラシ支持体１２２の端部に回転可能に設けられたブラシ１３４を有する塗布部材１３０とを含む。
【００１６】
容器本体１１０内には、ボリューム（Ｖｏｌｕｍｅ）、カール（Ｃｕｒｌｉｎｇ）、ロングラッシュ（Ｌｏｎｇ ｌａｓｈ）およびクリーン（Ｃｌｅａｎ）作業のためのマスカラ液が貯蔵される。容器本体１１０は円筒形や四角形などの様々な形状をしてもよい。容器本体１１０は、人体に無害な各種材質、たとえばプラスチックやアルミニウムなどで作られてもよい。
【００１７】
把手１２０は容器本体１１０の開口部１１２側に密閉可能に結合する。把手１２０は、容器本体１１０の外周縁と同一の形状に形成されてもよく、審美感のために様々な模様またはパターンなどを有する多様な形状に形成されてもよい。
【００１８】
把手１２０の一側（容器本体に結合する部位）には、一定の長さに延設されたブラシ支持体１２２が備えられる。ブラシ支持体１２２は容器本体１１０と把手１２０の結合の際に容器本体１１０に内在する。
【００１９】
塗布部材１３０はブラシ支持体１２２の端部に嵌合される。塗布部材１３０は、支え骨１３２ａおよび回転案内ホール１３２ｂを有する支持体１３２と、回転案内ホール１３２ｂに回転可能に設けられるブラシ１３４とを含んで構成される。
【００２０】
支持体１３２は、撓みがなく且つ人体に無害な金属やプラスチック材質などで作られてもよい。
【００２１】
支持体１３２の支え骨１３２ａは、図１〜図３に示すように、両側に拡開形成（略楕円形をなす）できる。このような支え骨１３２ａの両端部はそれぞれ一箇所に集まり、集まった部位には貫設された回転案内ホール１３２ｂが備えられる。
【００２２】
支持体１３２の支え骨１３２ａは、図４〜図６に示すように、左／右側のいずれか一方にのみ選択的に設けられた半楕円状をしてもよい。このような支え骨１３２ａの両端部には貫設された回転案内ホール１３２ｂが備えられてもよい。この場合、左／右側のいずれか一方にのみ支え骨１３２ａが備えられているので、左／右側のいずれか一方で睫毛側に干渉されることなく、ブラシ１３４を用いて使用者が睫毛にマスカラ液を塗布する作業をより容易に行うことができる。
【００２３】
ブラシ１３４は回転案内ホール１３２ｂに回転可能に設けられる。ブラシ１３４は、睫毛に接触する接触ブラシ１３４ｂを固定する固定棒１３４ａの両端部が回転案内ホール１３２ｂに回転可能に設置される。ブラシ１３４は容器本体１１０と把手１２０の結合の際に容器本体１１０内に挿入される。ブラシ１３４は、使用者が睫毛にマスカラ液を塗布するときに回転しながらボリューム（Ｖｏｌｕｍｅ）、カール（Ｃｕｒｌｉｎｇ）、ロングラッシュ（Ｌｏｎｇ ｌａｓｈ）およびクリーン（Ｃｌｅａｎ）作業のいずれか一つを選択的に行う役割を果たす。
【００２４】
以上、本発明の好適な実施形態を例示的に説明したが、本発明の権利範囲はこのような特定の実施形態に限定されるものではなく、本発明の属する技術分野における当業者に自明な範囲は本発明の請求の範囲に記載された範疇内に属すると解釈すべきであろう。
【図１】
0005941537.tif 000002
【図２】
0005941537.tif 000003
【図３】
0005941537.tif 000004
【図４】
0005941537.tif 000005
【図５】
0005941537.tif 000006
【図６】
0005941537.tif 000007